(57)【要約】【課題】  画像形成装置内にジョブが放置されることを回避し、これによってセキュリティの向上を図る。【解決手段】  画像形成システムを構成するホスト装置は、電源をオフすることをネットワーク上の画像形成装置にジョブを特定するジョブ情報とともに通知する電源オフ通知を行い（ステップＳ１）、上記電源オフ通知を受け取った画像形成装置から送られてくる上記ジョブ情報により特定したジョブを保存した後に（ステップＳ４）、上記電源をオフする（ステップＳ５）。また、画像形成装置は、上記ホスト装置から電源をオフすることをジョブを特定するジョブ情報とともに通知する電源オフ通知を受け取ると、上記ジョブ情報で特定されるジョブの有無を検索し（ステップＳ２）、上記ジョブ情報で特定されたジョブをジョブ保存部から読み出して上記ホスト装置に送信し（ステップＳ３）、上記ホスト装置に送信した上記ジョブをジョブ削除部により上記ジョブ保存部から削除する（ステップＳ６）。【選択図】        図５
2008197840.tif 000002
【特許請求の範囲】
【請求項１】
ホスト装置と、
上記ホスト装置にネットワークを介して接続される画像形成装置とを有し、
上記ホスト装置は、上記ネットワークを介して上記画像形成装置と通信するホスト装置側通信手段と、ジョブを保存する記憶手段と、電源をオフする際に、上記電源をオフすることをジョブを特定するジョブ情報とともに上記ネットワーク上の画像形成装置に通知する電源オフ通知を上記ホスト装置側通信手段により送信する制御を行い、上記電源オフ通知を受け取った画像形成装置から送られてくるジョブを上記記憶手段に保存した後に、上記電源をオフする制御を行うホスト装置側制御手段を備え、
上記画像形成装置は、ジョブを保存するジョブ保存手段と、上記ネットワークを介して上記ホスト装置と通信する画像形成装置側通信手段と、上記画像形成装置側通信手段により上記ホスト装置から上記電源オフ通知を受け取ると、上記ジョブ情報で特定されるジョブの有無を検索し、上記ジョブ情報で特定されたジョブを上記ジョブ保存手段から読み出して上記画像形成装置側通信手段から上記ホスト装置に送信し、上記ホスト装置に送信した上記ジョブを上記ジョブ保存手段から削除する制御を行う画像形成装置側制御手段を備える
ことを特徴とする画像形成システム。
【請求項２】
上記ホスト装置側制御手段は、上記電源オフ通知を受け取った画像形成装置から送られてくる上記ジョブ情報により特定したジョブを上記記憶手段に保存した後に、上記ジョブの保存が完了したことを上記画像形成装置に通知するジョブ保存完了通知を上記ホスト装置側通信手段により送信する制御を行い、
上記画像形成装置側制御手段は、上記ホスト装置からジョブ保存完了通知を受け取った後に、上記ホスト装置に送信した上記ジョブを上記ジョブ保存手段から削除し、上記ジョブの削除が完了したことを上記ホスト装置に通知するジョブ削除完了通知を上記画像形成装置側通信手段により送信する制御を行い、
上記ホスト装置側制御手段は、上記画像形成装置からジョブ削除完了通知を受け取った後に、上記電源をオフする制御を行うことを特徴とする請求項１に記載の画像形成システム。
【請求項３】
上記ホスト装置側制御手段は、上記電源をオンした際に、上記電源をオンしたことをネットワーク上の画像形成装置に通知する電源オン通知を上記ホスト装置側通信手段により送信する制御を行い、
上記画像形成装置側制御手段は、上記ホスト装置から上記電源オン通知を受け取ると、上記ホスト装置の電源オフ時に吸い上げられたジョブをジョブ情報で特定して上記ホスト装置にジョブの送信を依頼するジョブ送信依頼を上記画像形成装置側通信手段により送信する制御を行い、
上記ホスト装置側制御手段は、上記ジョブ送信依頼に応じて、ジョブ情報で特定されるジョブの有無を検索し、上記ジョブ情報で特定されたジョブを上記ホスト装置側通信手段から上記画像形成装置に送信する制御を行い、
上記画像形成装置側制御手段は、上記ジョブ送信依頼を受信した上記ホスト装置から送られてくる上記ジョブ情報で特定したジョブを上記ジョブ保存手段に保存する制御を行う
ことを特徴とする請求項１又は請求項２のいずれか１項に記載の画像形成システム。
【請求項４】
上記画像形成装置側制御手段は、上記画像形成装置側通信手段により上記ネットワーク上の複数のホスト装置にポーリング要求を送信する制御を行い、
上記ネットワーク上の複数のホスト装置の各ホスト装置側制御手段は、上記ポーリング要求に応じて上記ホスト装置側通信手段により上記電源オン通知、又は上記電源オフ通知を送信する制御を行う
ことを特徴とする請求項３に記載の画像形成システム。
【請求項５】
ホスト装置にネットワークを介して画像形成装置が接続されてなる画像形成システムにおける画像形成装置であって、
ジョブを保存するジョブ保存手段と、
上記ネットワークを介して上記ホスト装置と通信する画像形成装置側通信手段と、
上記画像形成装置側通信手段により上記ホスト装置から上記電源オフ通知を受け取ると、上記ジョブ情報で特定されるジョブの有無を検索し、上記ジョブ情報で特定されたジョブを上記ジョブ保存手段から読み出して上記画像形成装置側通信手段から上記ホスト装置に送信し、上記ホスト装置に送信した上記ジョブを上記ジョブ保存手段から削除する制御を行う画像形成装置側制御手段を備える
ことを特徴とする画像形成装置。
【請求項６】
ホスト装置にネットワークを介して画像形成装置が接続されてなる画像形成システムの制御プログラムであって、
上記ホスト装置の電源をオフする際に、上記電源をオフすることをジョブを特定するジョブ情報とともに上記ネットワーク上の画像形成装置に通知する電源オフ通知を送信する制御を上記ホスト装置に備えられたコンピュータに実行させ、
上記ホスト装置から上記電源オフ通知を受け取ると、上記ジョブ情報で特定されるジョブの有無を検索し、上記ジョブ情報で特定されたジョブをジョブ保存手段から読み出して上記ホスト装置に送信し、上記ホスト装置に送信した上記ジョブを上記ジョブ保存手段から削除する制御を上記画像形成装置に備えられたコンピュータに実行させ、
上記電源オフ通知を受け取った画像形成装置から送られてくるジョブを記憶手段に保存した後に、上記電源をオフする制御を上記ホスト装置に備えられたコンピュータに実行させる
ことを特徴とする画像形成システムの制御プログラム。
【請求項７】
ホスト装置にネットワークを介して画像形成装置が接続されてなる画像形成システムにおけるホスト装置の制御プログラムであって、
ホスト装置の電源をオフする際に、上記電源をオフすることをジョブを特定するジョブ情報とともに上記ネットワーク上の画像形成装置に通知する電源オフ通知を行い、上記電源オフ通知を受け取った画像形成装置から送られてくる上記ジョブ情報により特定したジョブを保存した後に、上記電源をオフする制御を上記ホスト装置に備えられたコンピュータに実行させる
ことを特徴とするホスト装置の制御プログラム。
【発明の詳細な説明】
【技術分野】
【０００１】
本発明は、例えば、ホストコンピュータにネットワークを介してプリンタや複写機、ファクシミリ装置あるいは複合機等の複数の画像形成装置が接続されてなる画像形成システム、画像形成装置及び制御プログラムに関する。
【背景技術】
【０００２】
近年、コンピュータネットワークが普及し、多くのオフィスではコンピュータ、プリンタ等の複数台の情報機器を接続したＬＡＮを構築している。コンピュータおよびプリンタ、スキャナ、デジタルカメラなどの周辺機器が普及すると共に、ＬＡＮ等のネットワークも普及しており、ネットワーク上でプリンタ、モデム、画像読取り装置をネットワーク上で共有することによって、ネットワーク上のあらゆる装置を使用できる環境になってきた。
【０００３】
従来から、プリンタなどの印刷装置に対してコンピュータなどのホスト装置から指令を送信して、印刷装置に文字や図形を印刷させたり、印刷の体裁を整えたり、印刷装置自体の設定を行ったりする印刷システムが広く使用されている。
【０００４】
そして、例えば、ホスト装置は、印刷装置へ印刷データと電源オフコマンドとを含む指令を送信し、電源オフコマンドを送信した場合、印刷装置から送信される印刷装置の状態の情報を受信し、印刷装置は、ホスト装置が送信した指令を受信し、受信された指令が電源オフコマンドである場合、印刷ヘッドのメンテナンス処理などの停止処理を行い、状態の情報をホスト装置へ送信し、電源供給の停止処理を行うようにした印刷システム（例えば、特許文献１参照）、不揮発性の記憶装置に印刷データを一時貯留できる印刷装置において、ホストから受信した印刷データおよび該印刷データに関する情報を電源オフ後も保持する印刷制御部を有する印刷装置（例えば、特許文献２参照）、プリンタとホスト装置が接続されたプリンタシステムにおいて、同一環境に複数のプリンタが存在した場合に、同一環境にあるプリンタの内、記憶媒体を持たないプリンタに、ほかの大容量の記憶媒体を持ったプリンタの記憶媒体のエリアを提供し、記憶媒体を持たないプリンタに記憶媒体を使用する印刷を可能にし、電源オン時にその登録されたプリンタと記憶媒体を共有することで、メモリ破損などに対応するようにしたプリンタシステム（例えば、特許文献３参照）等が提案されている。
【０００５】
【特許文献１】特開２００１−０９６８５０号公報
【特許文献２】特開２００４−２１６６０４号公報
【特許文献３】特開２００５−３１９６７３号公報
【発明の開示】
【発明が解決しようとする課題】
【０００６】
ところで、大容量の記憶媒体を持たない画像形成装置では、保存しているジョブが長時間放置され、記憶媒体の容量が圧迫される可能性がある。また、ファクシミリ等が付いている画像形成装置は、２４時間電源が入ったままとなることが多い。したがって、セキュリティ機能がない画像形成装置の場合には、画像形成装置内のメモリ（HDD等）に保存しているジョブを外部からアクセスすることで取得されてしまう可能性がある。
【０００７】
そこで、本発明の目的は、上述の如き従来の問題点に鑑み、画像形成装置内にジョブが放置されることを回避し、これによってセキュリティの向上を図ることができるようにした画像形成システム、画像形成装置及び制御プログラムを提供することにある。
【０００８】
本発明の更に他の目的、本発明によって得られる具体的な利点は、以下に説明される実施の形態の説明から一層明らかにされる。
【課題を解決するための手段】
【０００９】
本発明では、ジョブの持ち主のホスト装置の電源がオフされるタイミングで画像形成装置からジョブを吸い上げることにより、画像形成装置内にジョブが放置されることを回避する。
【００１０】
すなわち、本発明に係る画像形成システムは、ホスト装置と、上記ホスト装置にネットワークを介して接続される画像形成装置とを有し、上記ホスト装置は、上記ネットワークを介して上記画像形成装置と通信するホスト装置側通信手段と、ジョブを保存する記憶手段と、電源をオフする際に、上記電源をオフすることをジョブを特定するジョブ情報とともに上記ネットワーク上の画像形成装置に通知する電源オフ通知を上記ホスト装置側通信手段により送信する制御を行い、上記電源オフ通知を受け取った画像形成装置から送られてくるジョブを上記記憶手段に保存した後に、上記電源をオフする制御を行うホスト装置側制御手段を備え、上記画像形成装置は、ジョブを保存するジョブ保存手段と、上記ネットワークを介して上記ホスト装置と通信する画像形成装置側通信手段と、上記画像形成装置側通信手段により上記ホスト装置から上記電源オフ通知を受け取ると、上記ジョブ情報で特定されるジョブの有無を検索し、上記ジョブ情報で特定されたジョブを上記ジョブ保存手段から読み出して上記画像形成装置側通信手段から上記ホスト装置に送信し、上記ホスト装置に送信した上記ジョブを上記ジョブ保存手段から削除する制御を行う画像形成装置側制御手段を備えることを特徴とする。
【００１１】
このような構成とすることにより、この画像形成システムでは、上記ホスト装置の電源をオフする際に、上記ネットワーク上の画像形成装置に保存されていたジョブを上記ホスト装置に吸い上げる終了処理を行う。
【００１２】
本発明に係る画像形成システムにおいて、上記ホスト装置側制御手段は、例えば、上記電源オフ通知を受け取った画像形成装置から送られてくる上記ジョブ情報により特定したジョブを上記記憶手段に保存した後に、上記ジョブの保存が完了したことを上記画像形成装置に通知するジョブ保存完了通知を上記ホスト装置側通信手段により送信する制御を行い、上記画像形成装置側制御手段は、上記ホスト装置からジョブ保存完了通知を受け取った後に、上記ホスト装置に送信した上記ジョブを上記ジョブ保存手段から削除し、上記ジョブの削除が完了したことを上記ホスト装置に通知するジョブ削除完了通知を上記画像形成装置側通信手段により送信する制御を行い、上記ホスト装置側制御手段は、上記画像形成装置からジョブ削除完了通知を受け取った後に、上記電源をオフする制御を行う。
【００１３】
また、本発明に係る画像形成システムにおいて、上記ホスト装置側制御手段は、例えば、上記電源をオンした際に、上記電源をオンしたことをネットワーク上の画像形成装置に通知する電源オン通知を上記ホスト装置側通信手段により送信する制御を行い、上記画像形成装置側制御手段は、上記ホスト装置から上記電源オン通知を受け取ると、上記ホスト装置の電源オフ時に吸い上げられたジョブをジョブ情報で特定して上記ホスト装置にジョブの送信を依頼するジョブ送信依頼を上記画像形成装置側通信手段により送信する制御を行い、上記ホスト装置側制御手段は、上記ジョブ送信依頼に応じて、ジョブ情報で特定されるジョブの有無を検索し、上記ジョブ情報で特定されたジョブを上記ホスト装置側通信手段から上記画像形成装置に送信する制御を行い、上記画像形成装置側制御手段は、上記ジョブ送信依頼を受信した上記ホスト装置から送られてくる上記ジョブ情報で特定したジョブを上記ジョブ保存手段に保存する制御を行う。
【００１４】
このような構成とすることにより、この画像形成システムでは、上記ホスト装置の電源をオンした際に、上記ホスト装置の電源をオフした際に上記終了処理により上記ネットワーク上の画像形成装置から吸い上げられたジョブを元の画像形成装置による保存状態に戻す開始処理を行う。
【００１５】
さらに、本発明に係る画像形成システムにおいて、上記画像形成装置側制御手段は、例えば、上記画像形成装置側通信手段により上記ネットワーク上の複数のホスト装置にポーリング要求を送信する制御を行い、上記ネットワーク上の複数のホスト装置の各ホスト装置側制御手段は、上記ポーリング要求に応じて上記ホスト装置側通信手段により上記電源オン通知、又は上記電源オフ通知を送信する制御を行う。
【００１６】
また、本発明は、ホスト装置にネットワークを介して画像形成装置が接続されてなる画像形成システムにおける画像形成装置であって、ジョブを保存するジョブ保存手段と、上記ネットワークを介して上記ホスト装置と通信する画像形成装置側通信手段と、上記画像形成装置側通信手段により上記ホスト装置から上記電源オフ通知を受け取ると、上記ジョブ情報で特定されるジョブの有無を検索し、上記ジョブ情報で特定されたジョブを上記ジョブ保存手段から読み出して上記画像形成装置側通信手段から上記ホスト装置に送信し、上記ホスト装置に送信した上記ジョブを上記ジョブ保存手段から削除する制御を行う画像形成装置側制御手段を備えることを特徴とする。
【００１７】
また、本発明は、ホスト装置にネットワークを介して画像形成装置が接続されてなる画像形成システムの制御プログラムであって、上記ホスト装置の電源をオフする際に、上記電源をオフすることをジョブを特定するジョブ情報とともに上記ネットワーク上の画像形成装置に通知する電源オフ通知を送信する制御を上記ホスト装置に備えられたコンピュータに実行させ、上記ホスト装置から上記電源オフ通知を受け取ると、上記ジョブ情報で特定されるジョブの有無を検索し、上記ジョブ情報で特定されたジョブをジョブ保存手段から読み出して上記ホスト装置に送信し、上記ホスト装置に送信した上記ジョブを上記ジョブ保存手段から削除する制御を上記画像形成装置に備えられたコンピュータに実行させ、上記電源オフ通知を受け取った画像形成装置から送られてくるジョブを記憶手段に保存した後に、上記電源をオフする制御を上記ホスト装置に備えられたコンピュータに実行させることを特徴とする。
【００１８】
さらに、本発明は、ホスト装置にネットワークを介して画像形成装置が接続されてなる画像形成システムにおけるホスト装置の制御プログラムであって、ホスト装置の電源をオフする際に、上記電源をオフすることをジョブを特定するジョブ情報とともに上記ネットワーク上の画像形成装置に通知する電源オフ通知を行い、上記電源オフ通知を受け取った画像形成装置から送られてくる上記ジョブ情報により特定したジョブを保存した後に、上記電源をオフする制御を上記ホスト装置に備えられたコンピュータに実行させることを特徴とする。
【発明の効果】
【００１９】
本発明では、夜間、帰宅する際、長期休暇、ある期間が過ぎたとき、指定した日時に、画像形成装置に保存しているデータを保存者のホスト装置に送信することで、画像形成装置内にはジョブが存在しない状態にすることができる。
【００２０】
すなわち、本発明によれば、ジョブの持ち主のホスト装置の電源がオフされるタイミングで印刷装置からジョブを吸い上げるので、画像形成装置内にジョブが放置されることを回避する画像形成システムを提供することができる。また、これによってセキュリティの向上を図ることができる。
【発明を実施するための最良の形態】
【００２１】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２２】
本発明は、例えば図１に示すようにホスト装置１０と画像形成装置２０がＬＡＮなどのネットワーク３０を介して相互に通信可能に接続されてなる画像形成システム１００に適用される。
【００２３】
この画像形成システム１００において、ホスト装置１０は、例えば、所謂パーソナルコンピュータからなり、図２に示すように、装置全体の制御および各種演算処理を行うＣＰＵからなる制御部１１、制御プログラムやデータを格納するためのＲＯＭ(Read Only Memory)１２、作業領域として一時的にプログラムやデータを記憶するためのＲＡＭ(Random Access Memory)１３、各種のプログラムやデータを保存するための外部記憶装置としてのハードディスク１４、各種情報の表示のための液晶ディスプレイなどの表示部１５、各種指示の入力のためのキーボードやマウスなどからなる入力部１６、上記ネットワーク３０に接続するためのＬＡＮカードなどのネットワークインターフェースからなる通信部１７等がバス１８を介して相互に接続されてなる。
【００２４】
また、上記画像形成装置２０は、コピー、プリント、スキャン、ファクシミリ送信及びファクシミリ受信機能を有する所謂複合機であって、図３に示すように、装置全体の動作制御を司るＣＰＵを中心とする制御部２１を備え、この制御部２１に印刷部２２、原稿読取部２３、操作表示部２４、ジョブ保存部２５、ジョブ削除部２６、ジョブ情報管理部２７、上記ネットワーク３０に接続するためのＬＡＮカードなどのネットワークインターフェースからなる通信部２８等が接続されている。
【００２５】
制御部２１は、図４に示すように、画像形成装置２０の制御プログラムを記憶するＲＯＭ２１１、一時的にデータを保管するＲＡＭ２１２、更新可能な各種設定データなどを保管するＥＥＰＲＯＭ（Electrically Erasable Programmable ROM）２１３及び制御プログラム等を上記ＲＯＭ２１１から読み出して実行するマイクロコンピュータ２１４、等からなり、操作表示部２４等において入力された所定の指示情報や、本装置の各所に設けられた各種センサからの検出信号に応じて装置全体の制御を行う。
【００２６】
印刷部２２は、ジョブを出力用紙に印刷する画像形成処理を行うものであって、図示しないプリンタコントローラ、レーザ走査ユニットや定着ローラ等からなる。
【００２７】
原稿読取部２３は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データを制御部２１へ出力する。
【００２８】
操作表示部２４は、ユーザの操作に応じて所定の指示入力を行うものであって、図示しない、ユーザが印刷実行指示を入力するためのスタートキーと、印刷部数等を入力するためのテンキーと、各種複写動作の設定等を入力するための操作ガイド情報等を表示する種々の操作ボタン等が表示される液晶表示器（ＬＣＤ）を備えている。
【００２９】
ジョブ保存部２５は、ユーザが当該画像形成装置２０に保存依頼を出したジョブを保存する。
【００３０】
ジョブ削除部２６は、上記ジョブ保存部２５に保存されているジョブを上記制御部２１の指示に従い削除する処理を行うもので、この画像形成装置２０では、ホスト電源オフ通知に対して、上記ジョブ保存部２５からジョブを読み出してホスト装置１０に送信後、送信したジョブを上記ジョブ保存部２５から削除する。なお、上記ジョブを削除する処理は、そのジョブの記録領域を開放して上書きを許可する処理であってもよい。
【００３１】
ジョブ情報管理部２７は、当該画像形成装置２０内に保存しているジョブの管理を行う。ジョブに付随するジョブ保存ホスト情報(ＩＰアドレス等)もここで管理する。
【００３２】
通信部２８は、ネットワーク３０を通してホスト装置１０との間でジョブの送受信を行う。
【００３３】
この画像形成システム１００において、ホスト装置１０の制御部１１及び画像形成装置２０の制御部２１は、制御プログラムにしたがって、ホスト装置１０の電源オフの際に、図５のフローチャートに示す手順で終了処理を実行する。
【００３４】
すなわち、ホスト装置１０の制御部１１は、電源をオフする際に、先ず、電源をオフすることをネットワーク３０上の画像形成装置２０に通知する電源オフ通知を通信部１７により送信する制御を行う（ステップＳ１）。その際に、ＩＰアドレス等のホスト情報とジョブ名称やジョブＩＤ等のジョブ情報を一緒に通知する。
【００３５】
そして、ネットワーク３０上の画像形成装置２０の制御部２１は、上記ホスト装置１０からの電源オフ通知を受け取ると、上記ホスト装置１０から送られてきたジョブ情報と合致するジョブがジョブ保存部２５に保存されているかどうか検索し（ステップＳ２）、ジョブが保存していれば、そのジョブを上記ジョブ保存部２５から読み出してホスト装置１０に通信部１７により送信する制御を行う（ステップＳ３）。その際、画像形成装置２０のＩＰアドレス等の画像形成装置情報を一緒に通知する。
【００３６】
次に、ホスト装置１０の制御部２１は、画像形成装置２０から送られてきたジョブを例えばハードディスク１４に保存する（ステップＳ４）。そして、ホスト装置１０の制御部２１は、上記ジョブの保存が終了したら、保存したジョブを送ってきた画像形成装置２０にジョブの保存を完了したことを通知するジョブ保存完了通知を通信部１７により送信する制御を行う（ステップＳ５）。
【００３７】
次に、画像形成装置２０の制御部２１は、ホスト装置１０からジョブ保存完了通知が送られてきたら、そのジョブをジョブ削除部２６により上記ジョブ保存部２５から削除する制御を行う（ステップＳ６）。そして、画像形成装置２０の制御部２１は、上記ジョブの削除が完了したら、ジョブの削除が完了したことをホスト装置１０に通知するジョブ削除完了通知を通信部２８により送信する制御を行う（ステップＳ７）。
【００３８】
そして、ホスト装置１０の制御部１１は、画像形成装置２０からジョブ削除完了通知を受け取ると電源をオフにする（ステップＳ８）。
【００３９】
すなわち、この画像形成システム１００におけるホスト装置１０は、電源をオフする際に、上記電源をオフすることをジョブを特定するジョブ情報とともに上記ネットワーク３０上の画像形成装置２０に通知する電源オフ通知を通信部１７により送信する制御を行い（ステップＳ１）、上記電源オフ通知を受け取った画像形成装置２０から送られてくる上記ジョブ情報により特定したジョブを保存した後に（ステップＳ４）、上記電源をオフする制御を行う（ステップＳ５）制御部１１を備え、上記制御部１１により、上記電源をオフする際に、上記ネットワーク上の画像形成装置２０に保存されていたジョブを吸い上げる終了処理を行う。
【００４０】
この画像形成システム１００において、上記ホスト装置１０の制御部１１は、さらに、上記電源オフ通知を受け取った画像形成装置２０から送られてくる上記ジョブ情報により特定したジョブを保存した後に（ステップＳ４）、上記ジョブの保存が完了したことを上記画像形成装置２０に通知するジョブ保存完了通知を通信部１７により送信する制御を行い（ステップＳ５）、上記ジョブ保存完了通知を受け取った上記画像形成装置２０から送られてくる上記ジョブの削除が完了したことを通知するジョブ削除完了通知を受け取った後に、上記電源をオフする（ステップＳ８）。
【００４１】
また、この画像形成システム１００における画像形成装置２０は、上記ホスト装置１０から電源をオフする際に送られてくる上記電源をオフすることをジョブを特定するジョブ情報とともに通知する電源オフ通知を受け取ると、上記ジョブ情報で特定されるジョブの有無を検索し（ステップＳ２）、上記ジョブ情報で特定されたジョブを上記ジョブ保存部２５から読み出して通信部２８により上記ホスト装置１０に送信する制御を行い（ステップＳ３）、上記ホスト装置に送信した上記ジョブをジョブ削除部２６により上記ジョブ保存部２５から削除する制御を行う（ステップＳ６）制御部２１を備え、上記制御部２１により、上記ホスト装置１０の電源がオフされる際に、上記ジョブ情報で特定されたジョブを上記ジョブ保存部２５から読み出して上記ホスト装置１０に送信し、上記ホスト装置１０に送信した上記ジョブを上記ジョブ保存部２５から削除する終了処理を行う。
【００４２】
この画像形成システム１００において、上記画像形成装置２０の制御部２１は、さらに、上記ジョブ情報により特定したジョブを保存した上記ホスト装置１０から送られてくる上記ジョブの保存が完了したことを通知するジョブ保存完了通知を受け取った後に、上記ホスト装置１０に送信した上記ジョブを上記ジョブ保存部２５から削除する制御を行い（ステップＳ６）、上記ジョブの削除が完了したことを上記ホスト装置１０に通知するジョブ削除完了通知を通信部２８により送信する制御を行う（ステップＳ７）。
【００４３】
また、この画像形成システム１００において、ホスト装置１０の制御部１１及び画像形成装置２０の制御部２１は、制御プログラムにしたがって、ホスト装置１０の電源オンの際に、図６のフローチャートに示す手順で開始処理を実行する。
【００４４】
すなわち、ホスト装置１０の制御部１１は、電源がオンされると、先ず、電源オフ時に受け取っていた画像形成装置情報（例えば、ＩＰアドレス）を持つ画像形成装置２０に、電源をオンにしたことを通知する電源オン通知を通信部１７により送信する制御を行う（ステップＳ１１）。
【００４５】
そして、ネットワーク３０上の画像形成装置２０の制御部２１は、ホスト装置１０から送られてきた電源オン通知を受信すると、そのホスト装置１０が電源オフ時に吸い上げたジョブが存在していたかどうか確認し（ステップＳ１２）、ジョブが存在していれば、そのジョブの送信を上記ホスト装置１０に対して依頼するジョブ送信依頼を通信部１７により送信する制御を行う（ステップＳ１３）。その際、上記画像形成装置２０の制御部２１は、当該画像形成装置２０のＩＰアドレス等の画像形成装置情報とジョブ情報を通信部１７により一緒に通知する制御を行う。
【００４６】
次に、ホスト装置１０の制御部１１は、画像形成装置２０からジョブ送信依頼とともにジョブ情報を受け取ると、受け取ったジョブ情報で特定されるジョブがハードディスク１４に保存されているかどうかを検索し（ステップＳ１４）、ジョブが保存されていれば、そのジョブを上記ハードディスク１４から読み出して通信部１７により上記画像形成装置２０に送信する制御を行う（ステップＳ１５）。
【００４７】
次に、画像形成装置２０の制御部２１は、ホスト装置１０から送られてきたジョブを上記ジョブ保存部２５に保存する（ステップＳ１６）。上記ジョブの保存が終了したら、保存したジョブを送ってきたホスト装置１０にジョブの保存を完了したことを通知するジョブ保存完了通知を通信部２８により送信する制御を行う（ステップＳ１７）。
【００４８】
すなわち、この画像形成システム１００におけるホスト装置１０は、電源をオンした際に、上記電源をオンしたことをネットワーク上の画像形成装置２０に通知する電源オン通知を通信部１７より送信する制御を行い（ステップＳ１１）、上記電源オン通知を受け取った画像形成装置２０からのジョブ送信依頼に応じて、ジョブ情報で特定されるジョブの有無を検索し（ステップＳ１４）、上記ジョブ情報で特定されたジョブを通信部１７より上記画像形成装置２０に送信する制御を行う（ステップＳ１５）制御部１１を備え、上記制御部１１により、上記ホスト装置の電源をオンした際に、上記ホスト装置１０の電源をオフした際に上記ネットワーク上の画像形成装置から吸い上げられたジョブを元の画像形成装置２０による保存状態に戻す開始処理を行う。
【００４９】
また、この画像形成システム１００における画像形成装置２０は、上記ホスト装置１０から上記電源オン通知を受け取ると、上記ホスト装置１０の電源オフ時に吸い上げられたジョブを確認し（ステップＳ１２）、上記電源オフ時に吸い上げられたジョブをジョブ情報で特定して上記ホスト装置１０にジョブの送信を依頼するジョブ送信依頼を通信部２８より送信する制御を行い（ステップＳ１３）、上記ジョブ送信依頼を受信した上記ホスト装置１０から送られてくる上記ジョブ情報で特定したジョブを上記ジョブ保存ジョブ保存部２５に保存する制御を行う（ステップＳ１６）制御部２１を備え、この制御部２１により、上記ホスト装置の電源がオンされた際に、上記ホスト装置１０の電源がオフされた際に吸い上げられたジョブを元の保存状態に戻す開始処理を行う。
【００５０】
このように、この画像形成システム１００では、ジョブの持ち主のホスト装置１０の電源がオフされるタイミングで画像形成装置２０からジョブを吸い上げるので、画像形成装置２０内にジョブが放置されることを回避することができる。これにより、例えば、夜間、ユーザが帰宅する際、長期休暇、ある期間が過ぎたとき、指定した日時などにホスト装置１０の電源をオフする際に、画像形成装置２０に保存しているデータを保存者のホスト装置１０に送信することで、画像形成装置２０内にはジョブが存在しない状態にすることができる。
【００５１】
そして、電源オフ時に吸い上げたジョブが１０内に保存されている場合には、ホスト装置１０の電源がオンされると、上記電源オフ時に吸い上げたジョブを元の画像形成装置２０に送って、電源オフの前のジョブの保存状態に戻すことができる。
【００５２】
これによって画像形成システム１００におけるセキュリティの向上を図ることができる。
【００５３】
なお、ホスト装置１０で、吸い上げたジョブのデータ更新が行われた場合には、そのデータに関連する他のホスト装置に更新の旨を通知する。
【００５４】
また、この画像形成システム１００における画像形成装置２０は、ネットワーク３０上の複数のホスト装置のジョブを上記ジョブ保存部２５保存している場合に、電源がオフされたホスト装置の１０のジョブが吸い上げられ、そのジョブ上記ジョブ保存部２５から削除、または、そのジョブの記録領域が開放され上書きが許可されることによって、その分だけ、データの保存容量を確保することができる。
【００５５】
さらに、この画像形成システム１００では、図７のフローチャートに示すように、画像形成装置２０の制御部２１により通信部２８を制御してネットワーク３０上の複数のホスト装置にポーリング要求を送信し、上記ネットワーク３０上の複数のホスト装置の各制御部１１が、上記ポーリング要求に応じて上記通信部１７により上記電源オン通知、又は上記電源オフ通知を送信する制御を行うようにすることによって、上記画像形成装置２０が、ネットワーク３０上の複数のホスト装置についてホスト電源のオフまたはオンをポーリングで監視して、ホスト電源オフ通知のあったホスト装置との間で上述の如き終了処理（ステップＳ１〜ステップＳ８）を実行し、また、ホスト電源オフ通知のあったホスト装置との間で上述の如き開始処理（ステップＳ１１〜ステップＳ１７）を実行するようにするようにしてもよい。
【図面の簡単な説明】
【００５６】
【図１】本発明を適用した画像形成システムの構成を示すブロック図である。
【図２】上記画像形成システムにおけるホスト装置の構成を示すブロック図である。
【図３】上記画像形成システムにおける画像形成装置の構成を示すブロック図である。
【図４】上記画像形成装置の制御部の構成例を示すブロック図である。
【図５】上記画像形成システムにおける終了処理の手順を示すフローチャートである。
【図６】上記画像形成システムにおける開始処理の手順を示すフローチャートである。
【図７】上記画像形成システムにおいて、画像形成装置がネットワーク上の複数のホスト装置をポーリングで監視して、終了処理及び開始処理を行う場合の処理手順を示すフローチャートである。
【符号の説明】
【００５７】
１０  ホスト装置、
１１  制御部、
１２  ＲＯＭ、
１３  ＲＡＭ、
１４  ハードディスク、
１５  表示部、
１６  入力部、
１７  通信部、
１８  バス、
２０  画像形成装置、
２１  制御部、
２２  印刷部、
２３  原稿読取部、
２４  操作表示部、
２５  ジョブ保存部、
２６  ジョブ削除部、
２７  ジョブ情報管理部、
２８  通信部、
３０  ネットワーク、
１００  画像形成システム、
２１１  ＲＯＭ、
２１２  ＲＡＭ、
２１３  ＥＥＰＲＯＭ
２１４  マイクロコンピュータ、
【図１】
2008197840.tif 000003
【図２】
2008197840.tif 000004
【図３】
2008197840.tif 000005
【図４】
2008197840.tif 000006
【図５】
2008197840.tif 000007
【図６】
2008197840.tif 000008
【図７】
2008197840.tif 000009